(57)【要約】【課題】商品を効果的に絞り込むための情報を登録あるいは検索する際の手間を簡便化することができる商品管理装置、商品検索装置、およびプログラムを提供すること。【解決手段】商品の識別情報に、商品の性質を示す分類項目毎に各商品が分類項目に関連する割合を示す情報を対応付けた分類項目テーブルを記憶部する記憶部と、登録情報として入力された第１分類項目の割合を前記記憶部に登録する入力登録部と、前記登録情報として入力された第１分類項目の割合に基づいて、前記第１分類項目と所定の関係を有する第２分類項目の割合を導出し、前記記憶部に登録する自動登録部と、を備える商品管理装置。【選択図】図３
2018063673.tif 000002
【特許請求の範囲】
【請求項１】
商品の識別情報に、商品の性質を示す分類項目毎に各商品が分類項目に関連する割合を示す情報を対応付けた分類項目テーブルを記憶部する記憶部と、
登録情報として入力された第１分類項目の割合を前記記憶部に登録する入力登録部と、
前記登録情報として入力された第１分類項目の割合に基づいて、前記第１分類項目と所定の関係を有する第２分類項目の割合を導出し、前記記憶部に登録する自動登録部と、
を備える商品管理装置。
【請求項２】
前記自動登録部は、
前記登録情報として入力された第１分類項目の割合に基づいて、前記第１分類項目および前記第２分類項目と所定の関係を有する第３分類項目の割合を導出し前記記憶部に登録する
請求項１に記載の商品管理装置。
【請求項３】
前記自動登録部は、
前記商品の属性を示す属性情報に基づいて、前記商品の属性に予め関連付けられている第４分類項目とその割合を取得し、前記記憶部に登録する
請求項１または２に記載の商品管理装置。
【請求項４】
前記自動登録部は、
入力されたキーワードに基づいて、前記キーワードに予め関連付けられている第５分類項目とその割合を取得し、前記記憶部に登録する
請求項１から３のうちいずれか一項に記載の商品管理装置。
【請求項５】
前記第１分類項目と前記第２分類項目とは、分類項目が示す意味が相反関係にある
請求項１から４のうちいずれか一項に記載の商品管理装置。
【請求項６】
前記分類項目テーブルは、相反する性質を有する前記第１分類項目と前記第２分類項目との割合が、合計で１００％となるように設定されている
請求項５に記載の商品管理装置。
【請求項７】
前記分類項目テーブルを参照して、検索情報として入力された少なくとも１つの分類項目の割合に合致する商品を検索する検索部をさらに備える、
請求項１から６のうちいずれか一項に記載の商品管理装置。
【請求項８】
検索情報として入力された第６分類項目の割合に基づいて、少なくとも前記第６分類項目と所定の関係を有する第７分類項目の割合を決定する検索条件決定部をさらに備え、
前記検索部は、
前記分類項目テーブルを参照して、少なくとも前記第６分類項目の割合および前記第７分類項目の割合に合致する商品を検索する、
請求項７に記載の商品管理装置。
【請求項９】
検索条件決定部は、
入力されたキーワードに基づいて、前記キーワードに予め関連付けられている少なくとも１つの第１０分類項目とその割合を取得し、
前記検索部は、
前記分類項目テーブルを参照して、少なくとも前記第１０分類項目の割合に合致する商品を検索する
請求項７または８に記載の商品管理装置。
【請求項１０】
前記検索部は、
検索情報として、分類項目の割合の範囲の指定を受け付け、分類項目の割合の範囲に合致する商品を検索する
請求項７から９のうちいずれか一項に記載の商品管理装置。
【請求項１１】
前記検索部は、
検索情報として、複数の分類項目の割合の範囲の指定を受け付け、複数の分類項目の割合の範囲に合致する商品を検索する
請求項７から１０のうちいずれか一項に記載の商品管理装置。
【請求項１２】
商品の性質を表す分類項目の指定を受け付け、更に、前記受け付けた分類項目である第１分類項目と前記第１分類項目に相反する性質を有する第２分類項目との割合の指定を受け付ける入力部と、
商品の識別情報に、前記商品が複数の分類項目のそれぞれに関連する割合を示す分類項目テーブルを参照し、前記入力部により受け付けられた前記第１分類項目、前記第２分類項目、および前記割合に合致する商品を検索する検索部と、
を備える商品検索装置。
【請求項１３】
商品管理装置に、
商品の識別情報に、予め決められた分類項目毎に各商品が分類項目に関連する割合を示す情報を対応付けた分類項目テーブルを記憶部する記憶部に、登録情報として入力された第１分類項目の割合を登録させ、
前記登録情報として入力された第１分類項目の割合に基づいて、前記第１分類項目と関係する第２分類項目の割合を導出し前記記憶部に登録させる
プログラム。
【請求項１４】
入力部を備える端末装置に、
前記入力部を用いて、商品の性質を表す分類項目の指定を受け付けさせ、
更に、前記入力部を用いて、前記受け付けた分類項目である第１分類項目と前記第１分類項目に相反する性質を有する第２分類項目との割合の指定を受け付けさせ、
商品の識別情報に、前記商品が複数の分類項目のそれぞれに関連する割合を示す分類項目テーブルを参照させ、前記入力部により受け付けられた前記第１分類項目、前記第２分類項目、および前記割合に合致する商品を検索させて、検索結果を表示させる、
プログラム。
【発明の詳細な説明】
【技術分野】
【０００１】
本発明は、商品管理装置、商品検索装置、およびプログラムに関する。
【背景技術】
【０００２】
近年、インターネット上の販売サイトにおいて、さまざまな商品が購入できるようになってきており、販売サイトで取り扱う商品数も膨大になってきている。従来、販売サイトにおいて商品を検索する際に、商品のカテゴリやサイズ等の検索条件で商品を絞り、検索する技術が知られている（例えば、特許文献１参照）。
【先行技術文献】
【特許文献】
【０００３】
【特許文献１】特許第５９１９４５０号公報
【発明の概要】
【発明が解決しようとする課題】
【０００４】
しかしながら、取り扱う商品を販売サイトのデータベースに登録する際、検索条件となる各種情報をすべての商品について入力しなければならないため、登録側にとって非常に手間であった。また、従来の技術では、検索条件で指定した以外の商品のグループ、より具体的には、所定の多数条件を満たしている商品のグループを選定し、一覧ページを選定するものであるため、検索者の意図に沿った検索結果を提供することができない場合があった。
【０００５】
本発明は、上記の課題に鑑みてなされたものであって、商品を効果的に絞り込むための情報を登録あるいは検索する際の手間を簡便化することができる商品管理装置、商品検索装置、およびプログラムを提供することを目的としている。
【課題を解決するための手段】
【０００６】
本発明の一態様は、商品の識別情報に、商品の性質を示す分類項目毎に各商品が分類項目に関連する割合を示す情報を対応付けた分類項目テーブルを記憶部する記憶部と、登録情報として入力された第１分類項目の割合を前記記憶部に登録する入力登録部と、前記登録情報として入力された第１分類項目の割合に基づいて、前記第１分類項目と所定の関係を有する第２分類項目の割合を導出し、前記記憶部に登録する自動登録部と、を備える商品管理装置である。
【発明の効果】
【０００７】
本発明の一態様によれば、商品を効果的に絞り込むための情報を登録あるいは検索する際の手間を簡便化することができる。
【図面の簡単な説明】
【０００８】
【図１】本実施形態に係る商品管理システム１の構成図である。
【図２】本実施形態に係る端末装置１０の構成図である。
【図３】本実施形態に係る商品管理装置１００の構成図である。
【図４】分類項目テーブル１４１の内容の一例を示す図である。
【図５】商品属性テーブル１４２の内容の一例を示す図である。
【図６】入力設定テーブル１４３の内容の一例を示す図である。
【図７】属性設定テーブル１４４の内容の一例を示す図である。
【図８】キーワード設定テーブル１４５の内容の一例を示す図である。
【図９】登録時の入力画面の一例を示す図である。
【図１０】登録時の入力画面の他の一例を示す図である。
【図１１】検索時の入出力画面の一例を示す図である。
【図１２】検索時の入出力画面の他の例を示す図である。
【図１３】商品管理装置１００による商品登録時の処理の流れの一例を示すフローチャートである。
【図１４】商品管理装置１００による商品検索時の処理の流れの一例を示すフローチャートである。
【発明を実施するための形態】
【０００９】
以下、本発明を適用した商品管理システム１を、図面を参照して説明する。
【００１０】
図１は、本実施形態に係る商品管理システム１の構成図である。商品管理システム１は、例えば、複数の端末装置１０と、商品管理装置１００とを備える。複数の端末装置１０は、ネットワークＮＷを介して、商品管理装置１００と通信する。ネットワークＮＷは、ＷＡＮ（Wide Area Network）やＬＡＮ（Local Area Network）、インターネット、専用回線、無線基地局、プロバイダなどを含む。
【００１１】
図２は、本実施形態に係る端末装置１０の構成図である。端末装置１０は、例えば、スマートフォン、タブレット端末、パーソナルコンピュータ等である。端末装置１０は、ユーザにより携帯可能なものであることが好ましい。端末装置１０がデスクトップのパーソンナルコンピュータである場合、端末装置１０は、ユーザが携帯するスマートフォン等から通信によって位置情報等を収集してもよい。端末装置１０は、例えば、通信部１１と、入力部１２と、表示部１３と、記憶部１４と制御部１５とを備える。
【００１２】
通信部１１は、ネットワークＮＷを介して商品管理装置１００と通信する。通信部１１は、商品管理装置１００により送信された情報を受信すると、受信した情報を制御部１５に出力する。また、通信部１１は、制御部１５の指示に従って、商品管理装置１００に情報を送信する。
【００１３】
入力部１２は、例えば、ボタン、キーボード、マウス、マイク、タッチパネル等のユーザインターフェースである。また、入力部１２は、例えば、音声による入力を受け付けるものであってもよい。なお、表示部１３がタッチパネルである場合、入力部１２の一部は表示部１３と一体として形成される。
【００１４】
表示部１３は、例えば、ＬＣＤ（Liquid Crystal Display）や有機ＥＬ（Electroluminescence）ディスプレイなどの表示装置である。表示部１３は、制御部１５から入力される情報に基づいて各種画像を表示する。
【００１５】
記憶部１４は、例えば、フラッシュメモリ、ＲＯＭ（Read Only Memory）、ＲＡＭ（Random Access Memory）、ＳＤカード、ＨＤＤ（Hard Disc Drive）、ＥＥＰＲＯＭ（Electrically Erasable Programmable Read Only Memory）等の不揮発性の記憶媒体と、レジスタ等の揮発性の記憶媒体等により実現される。
【００１６】
制御部１５は、例えば、ＣＰＵ（Central Processing Unit）等のプロセッサが、記憶部１４に記憶されたプログラム（ソフトウェア）を実行することで実現される。プログラムは、例えば、ネットワークＮＷを介してアプリケーションサーバからダウンロードされてもよいし、ＳＤカードなどの可搬型記憶媒体に格納されたものが端末装置１０にインストールされてもよいし、端末装置１０にプリインストールされていてもよい。制御部１５の機能のうち一部は、ＬＳＩ（Large Scale Integration）、ＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。
【００１７】
図３は、本実施形態の商品管理装置１００の構成図である。商品管理装置１００は、例えば、通信部１１０と、入力部１２０と、表示部１３０と、記憶部１４０と、制御部１５０とを備える。
【００１８】
通信部１１０は、ネットワークＮＷを介して端末装置１０と通信する。通信部１１０は、端末装置１０により送信された情報を受信すると、受信した情報を制御部１５０に出力する。また、通信部１１０は、制御部１５０の指示に従って、端末装置１０に情報を送信する。
【００１９】
入力部１２０は、例えば、ボタン、キーボード、マウス、マイク、タッチパネル等のユーザインターフェースである。また、入力部１２０は、例えば、音声による入力を受け付けるものであってもよい。なお、表示部１３０がタッチパネルである場合、入力部１２０の一部は表示部１３０と一体として形成される。
【００２０】
表示部１３０は、例えば、ＬＣＤや有機ＥＬディスプレイなどの表示装置である。表示部１３０は、制御部１５０から入力される情報に基づいて各種画像を表示する。
【００２１】
記憶部１４０は、例えば、ＨＤＤ、フラッシュメモリ、ＥＥＰＲＯＭ、ＲＯＭ、またはＲＡＭ等により実現される。記憶部１４０は、例えば、分類項目テーブル１４１と、商品属性テーブル１４２と、入力設定テーブル１４３と、属性設定テーブル１４４と、キーワード設定テーブル１４５とを格納する。また、記憶部１４０は、上記の各種情報の他、アプリケーションプログラムなどの各種プログラム、制御部１５０による処理結果などを格納する。
【００２２】
分類項目テーブル１４１は、各商品と分類項目との関連性を定義するテーブルである。分類項目テーブル１４１は、商品を登録する際に制御部１５０により作成され、分類項目で絞って商品を検索する際に、制御部１５０により参照されるテーブルである。図４は、分類項目テーブル１４１の内容の一例を示す図である。分類項目テーブル１４１は、例えば、図４に示す通り、商品ＩＤに、各商品が分類項目に関連する割合を示す分類割合情報を対応付けたテーブルである。「商品ＩＤ」は、各商品を識別する情報である。「分類項目」は、各商品を分類するために予め決められた項目であって、各商品の性質を表す情報である。例えば、分類項目には、ファッションのジャンルを示す情報（例えば、フェミニン、ボーイッシュ、ユニセックス、ゴージャス、シンプル等）や、洋服のシーズンを示す情報（春向き、夏向き、秋向き、冬向き）、流行や人気の度合を示す情報等が含まれる。各商品が分類項目に関連する割合は、０％〜１００％の範囲で設定可能である。この商品が分類項目に関連する割合は、例えば、相反する性質を有する分類項目（例えば、フェミニンとボーイッシュなど）の割合が合計で１００％となるように設定されている。
【００２３】
商品属性テーブル１４２は、各商品に関する属性情報を格納するテーブルである。図５は、商品属性テーブル１４２の内容の一例を示す図である。商品属性テーブル１４２は、例えば、図５に示す通り、商品ＩＤに、属性情報を対応付けたテーブルである。「属性情報」とは、商品に関する属性、例えば、価格、販売日、色の系統、素材等を示す情報である。
【００２４】
入力設定テーブル１４３は、入力された第１分類項目に基づいて自動設定される分類項目（例えば、第２分類項目および第３分類項目）に関する情報を定義するテーブルである。「自動設定」とは、入力情報に基づいて、商品に関連する分類項目とその割合を自動で設定することであり、ここでは、第１分類項目に基づいて第２分類項目や第３分類項目を自動で設定することについて説明する。自動設定は、商品の登録の際、または、商品の検索の際に実行される。自動設定のための分類項目名や割合条件の入力は、例えば登録者により指定された情報に従ってもよく、検索者により指定された情報に従ってもよい。この他、自動設定には、商品の属性やキーワードに基づいて分類項目を自動で設定すること等が含まれるが、詳しくは、後述する。
【００２５】
図６は、入力設定テーブル１４３の内容の一例を示す図である。入力設定テーブル１４３は、図６に示す通り、第１分類項目名に、第２分類項目情報と第３分類項目情報とが対応付けられたテーブルである。第２分類項目および第３分類項目は、第１分類項目と所定の関係を有する分類項目である。
【００２６】
「第２分類項目情報」には、第２分類項目の名前とその割合を決定する割合条件とを示す情報が含まれる。第２分類項目には、例えば、第１分類項目が示す意味と相反関係にあるもの（例えば、フェミニンとボーイッシュ、ゴージャスとシンプル等）や、第１分類項目が示す意味と連続した関係にあるもの（例えば、春向き、夏向き、秋向き、冬向き等）等が含まれる。
【００２７】
「第３分類項目情報」は、第３分類項目の名前とその割合を決定する割合条件とを示す情報が含まれる。第３分類項目は、第１分類項目および第２分類項目と所定の関係を有する分類項目であって、例えば、第１分類項目が示す意味と第２分類項目が示す意味との間にあるもの（例えば、フェミニンとボーイッシュとの間にあるユニセックス、春向きと秋向きの間にある夏向きや冬向き、ガーリー系とギャル系の間にあるお姉ギャル系等）や、第１分類項目が示す意味および第２分類項目が示す意味の両方と方向性が異なるもの（例えば、フェミニン系およびストリート系の両方とも方向性が異なるコンサバ系）等が含まれる。前者の場合、第３分類項目の割合は、例えば、第１分類項目の割合と第２分類項目の割合とがそれぞれ５０％に近づく（すなわち同程度である）ほど高くなり、第１分類項目の割合と第２分類項目の割合とがそれぞれ５０％から遠ざかる（すなわち偏る）ほど低くなる。一方、後者の場合、第３分類項目の割合は、例えば、第１分類項目の割合と第２分類項目の割合とがそれぞれ５０％から遠ざかるほど高くなる。
【００２８】
属性設定テーブル１４４は、商品の属性に基づいて自動設定される分類項目（以下、第４分類項目と記す）に関する情報を定義するテーブルである。商品の属性とは、商品属性テーブル１４２に定義された情報から一部を選択し、或いは適宜組み合わせたものである。図７は、属性設定テーブル１４４の内容の一例を示す図である。属性設定テーブル１４４は、図７に示す通り、属性設定条件に、第４分類項情報を対応付けたテーブルである。「属性設定条件」とは、自動設定の対象となる商品の属性を示す情報である。商品の商品ＩＤが与えられると、対応する属性情報が商品属性テーブル１４２から取得され、属性設定テーブル１４４のいずれかに該当するか否かが判断される。「第４分類項目情報」は、商品の属性に予め関連付けられている分類項目とその割合のパターンであって、第４分類項目の名前とその割合を決定する割合条件とを示す情報を含む。第４分類項目には、少なくとも１つの分類項目が含まれ、例えば、分類項目Ａ１〜Ａ４が含まれる。
【００２９】
キーワード設定テーブル１４５は、キーワードに基づいて自動設定される分類項目（以下、第５分類項目と記す）に関する情報を定義するテーブルである。図８は、キーワード設定テーブル１４５の内容の一例を示す図である。キーワード設定テーブル１４５は、図８に示す通り、キーワードに、第５分類項目情報を対応付けたテーブルである。「第５分類項目情報」は、キーワードに予め関連付けられている分類項目とその割合のパターンであって、第５分類項目の名前とその割合を示す情報を含む。第５分類項目には、少なくとも１つの分類項目が含まれ、例えば、分類項目Ｂ１〜Ｂ４が含まれる。
【００３０】
図３に戻って、制御部１５０について説明する。制御部１５０は、例えば、入力登録部１５１と、自動登録部１５２と、検索条件自動設定部１５３と、検索部１５４とを備える。制御部１５０の各機能部は、例えばＣＰＵ等のプロセッサがプログラムメモリに格納されたプログラムを実行することにより実現される。また、制御部１５０の機能部のうち一部または全部は、ＬＳＩ、ＡＳＩＣ、またはＦＰＧＡ等のハードウェアにより実現されてもよい。
【００３１】
入力登録部１５１は、入力された商品ＩＤに、登録情報として入力された第１分類項目とその割合とを対応付けて、記憶部１４０の分類項目テーブル１４１に登録する。商品ＩＤと第１分類項目とその割合は、入力部１２０に対する操作に基づいて入力されてもよく、他の装置に対して入力された情報が通信部１１０を介して入力されてもよい。
【００３２】
自動登録部１５２は、入力された登録情報に基づいて、商品と関係する分類項目とその割合を自動設定する。以下、自動登録部１５２による自動設定の処理について説明する。
【００３３】
自動登録部１５２は、例えば、登録情報として入力された第１分類項目の割合に基づいて、第１分類項目と所定の関係を有する第２分類項目の割合を導出し、記憶部１４０の分類項目テーブル１４１に登録する。例えば、自動登録部１５２は、入力設定テーブル１４３を参照して、登録情報として入力された第１分類項目が、入力設定テーブル１４３の第１分類項目名にあるか否かを判定する。登録情報として入力された第１分類項目が入力設定テーブル１４３の第１分類項目名にある場合、自動登録部１５２は、入力設定テーブル１４３において第１分類項目名と対応付けられている第２分類項目とその割合条件を読み出し、割合条件に従って第２分類項目の割合を導出する。自動登録部１５２は、商品ＩＤに、読み出した第２分類項目と、導出したその割合とを対応付けて、分類項目テーブル１４１に書き込む。
【００３４】
また、自動登録部１５２は、登録情報として入力された第１分類項目の割合に基づいて、第３分類項目の割合を導出し、記憶部１４０の分類項目テーブル１４１に登録してもよい。例えば、自動登録部１５２は、登録情報として入力された第１分類項目が入力設定テーブル１４３の第１分類項目名にあり、且つ、入力設定テーブル１４３において第１分類項目と対応付けられた第３分類項目情報がある場合、入力設定テーブル１４３において第１分類項目と対応付けられている第３分類項目とその割合条件を読み出し、読み出した割合条件に従って第３分類項目の割合を導出する。自動登録部１５２は、商品ＩＤに、読み出した第３分類項目と、導出した割合とを対応付けて、分類項目テーブル１４１に書き込む。
【００３５】
また、自動登録部１５２は、商品の属性を示す属性情報に基づいて、商品の属性に予め関連付けられている第４分類項目とその割合を、記憶部１４０の分類項目テーブル１４１に登録してもよい。例えば、自動登録部１５２は、商品属性テーブル１４２を参照して、登録情報として入力された商品ＩＤと対応付けられた属性情報を読み出す。自動登録部１５２は、属性設定テーブル１４４を参照し、読み出した属性情報に基づいて、属性設定テーブル１４４に定義されている属性設定条件の中から、商品の属性を含む属性設定条件を検索する。自動登録部１５２は、属性設定テーブル１４４から、商品の属性を含む属性設定条件を検索により得た場合、商品の属性を含む属性設定条件と対応付けられている第４分類項目の名前と割合とを読み出す。自動登録部１５２は、商品ＩＤに、読み出した第４分類項目と割合とを対応付けて、分類項目テーブル１４１に書き込む。
【００３６】
また、自動登録部１５２は、登録情報として入力されたキーワードに基づいて、キーワードと予め関連付けられている第５分類項目とその割合を、記憶部１４０の分類項目テーブル１４１に登録してもよい。例えば、自動登録部１５２は、キーワード設定テーブル１４５を参照して、登録情報として入力されたキーワードと対応付けられた第５分類項目の名前と割合とを読み出す。自動登録部１５２は、商品ＩＤに、読み出した第５分類項目と割合とを対応付けて、分類項目テーブル１４１に書き込む。
【００３７】
検索条件自動設定部１５３は、入力された検索情報に基づいて、検索情報に関係する分類項目とその割合を自動設定し、自動設定された分類項目とその割合を検索条件に設定する。検索条件自動設定部１５３は、設定した検索条件を、検索部１５４に出力する。以下、検索条件自動設定部１５３の自動設定の例について説明する。
【００３８】
検索条件自動設定部１５３は、例えば、検索情報として入力された第６分類項目とその割合を、検索条件に設定し、検索部１５４に出力する。
【００３９】
また、検索条件自動設定部１５３は、例えば、検索情報として入力された第６分類項目の割合に基づいて、第６分類項目と所定の関係を有する第７分類項目の割合を導出し、検索条件に設定する。例えば、自動登録部１５２は、入力設定テーブル１４３を参照して、検索情報として入力された第６分類項目が、入力設定テーブル１４３の第１分類項目名にあるか否かを判定する。検索情報として入力された第６分類項目が入力設定テーブル１４３の第１分類項目名にある場合、検索条件自動設定部１５３は、入力設定テーブル１４３において第６分類項目と一致する第１分類項目と対応付けられている第２分類項目とその割合条件とを読み出し、割合条件に従って第２分類項目の割合を導出する。検索条件自動設定部１５３は、読み出した第２分類項目を、第７分類項目として取り扱う。検索条件自動設定部１５３は、第７分類項目（すなわち、読み出した第２分類項目）とその割合を、検索条件に設定し、検索部１５４に出力する。
【００４０】
また、検索条件自動設定部１５３は、検索情報として入力された第６分類項目の割合に基づいて、第６分類項目および第７分類項目と所定の関係を有する第８分類項目の割合を導出し、検索条件に設定してもよい。例えば、検索条件自動設定部１５３は、検索情報として入力された第６分類項目が入力設定テーブル１４３の第１分類項目名にあり、且つ、入力設定テーブル１４３において第６分類項目と一致する第１分類項目と対応付けられた第３分類項目情報がある場合、第６分類項目と一致する第１分類項目と対応付けられている第３分類項目とその割合条件を読み出し、割合条件に従って第３分類項目の割合を導出する。検索条件自動設定部１５３は、読み出した第３分類項目を、第８分類項目として取り扱う。検索条件自動設定部１５３は、第８分類項目（すなわち、読み出した第３分類項目）とその割合を、検索条件に設定し、検索部１５４に出力する。
【００４１】
また、検索条件自動設定部１５３は、検索情報として入力された商品の属性を示す属性情報に基づいて、商品の属性に予め関連づけられている第９分類項目とその割合を決定し、検索条件に設定してもよい。例えば、検索条件自動設定部１５３は、属性設定テーブル１４４を参照し、検索情報として入力された商品の属性情報に基づいて、属性設定テーブル１４４に定義されている属性設定条件の中から、商品の属性を含む属性設定条件を検索する。検索条件自動設定部１５３は、属性設定テーブル１４４から、商品の属性を含む属性設定条件を検索により得た場合、商品の属性を含む属性設定条件と対応付けられている第４分類項目の名前と割合とを読み出す。検索条件自動設定部１５３は、読み出した第４分類項目を、第９分類項目として取り扱う。検索条件自動設定部１５３は、第９分類項目（すなわち、読み出した第４分類項目）とその割合を、検索条件に設定し、検索部１５４に出力する。
【００４２】
また、検索条件自動設定部１５３は、検索情報として入力されたキーワードに基づいて、キーワードと予め関連付けられている第１０分類項目とその割合を決定し、検索条件に設定してもよい。例えば、検索条件自動設定部１５３は、キーワード設定テーブル１４５を参照して、検索情報として入力されたキーワードと対応付けられた第５分類項目の名前と割合とを読み出す。検索条件自動設定部１５３は、読み出した第５分類項目を、第１０分類項目として取り扱う。検索条件自動設定部１５３は、第１０分類項目（すなわち、読み出した第５分類項目）とその割合を、検索条件に設定し、検索部１５４に出力する。
【００４３】
検索部１５４は、例えば、分類項目テーブル１４１を参照して、検索条件自動設定部１５３により設定された検索条件を満たす商品を検索する。例えば、検索部１５４は、検索情報として入力された少なくとも１つの第６分類項目の割合に合致する商品を検索する。また、検索部１５４は、検索条件自動設定部１５３により設定された検索条件に基づいて、検索条件に設定された分類項目の割合に合致する商品を検索してもよい。例えば、検索部１５４は、第６分類項目の割合と第７分類項目の割合に合致する商品や、第６分類項目の割合と第７分類項目の割合と第８分類項目の割合に合致する商品、第９分類項目の割合に合致する商品、第１０分類項目の割合に合致する商品等、または第６〜１０の割合うち少なくとも１つに合致する商品を検索してもよい。このように、検索部１５４は、１組の分類項目セットごとに検索を行ってもよく、複数組の分類項目セットを組み合わせて全ての条件を満たす検索を行ってもよい。分類項目セットとは、一方の割合に応じて他方の割合が決定する２つ以上の分類項目を含み、例えば、第６分類項目と第７分類項目のセット、第６分類項目と第７分類項目と第８分類項目のセット等である。
【００４４】
さらに、検索部１５４は、検索の開始が指示された場合に、検索開始が指示された時点で設定されている検索条件に基づく検索を実行してもよく、検索の開始が指示されていなくても割合が変更されるたびに割合が変更された分類項目に基づく検索を実行してもよい。なお、割合がメーター上を移動可能な調整つまみ等により連続的に変更される場合、検索部１５４は、調整つまみの動きに合わせて連続的に変化する検索条件に基づいて検索してもよい。
【００４５】
検索部１５４は、検索結果を示す検索結果情報を、通信部１１０とネットワークＮＷとを介して端末装置１０に送信する。「検索結果」は、例えば、検索条件を満たす商品に関する情報である。「商品に関する情報」には、例えば、商品画像、商品名、商品ＩＤ、価格、商品の数等が含まれる。「検索結果情報」は、商品に関する情報をテキストで表した情報や、マップ、サーモグラフ等で表した情報等が含まれる。例えば、検索部１５４は、検索結果として、分類項目ごとあるいは分類項目セットごとに検索結果として得られる商品の数を出力してもよく、複数の分類項目あるいは複数の分類項目セットの条件を全て満たす商品の数を出力してもよい。また、検索部１５４は、検索結果として出力した商品数が指定された場合、指定された商品数に対応する商品の画像を検索結果として出力してもよい。
【００４６】
次に、図９−１２を参照して、登録時の入力画面と、検索時の入出力画面と、検索結果を示す検索結果画面について説明する。これらの画面は、表示部１３０に表示されるものとして以下説明するが、登録者により操作される他の装置に表示されてもよい。
【００４７】
図９は、登録時の入力画面の一例を示す図である。図９に示す通り、登録時の入力画面２１０は、商品ＩＤの入力欄２１０Ａと、キーワードの入力欄２１０Ｂと、第１分類項目の表示欄２１０Ｃと、第１分類項目の割合の入力欄２１０Ｄと、自動設定される分類項目の表示欄２１０Ｅと、自動設定される分類項目の割合の表示欄２１０Ｆとを含む。各入力欄２１０Ａ，２１０Ｂ，２１０Ｄは、例えば、入力部１２０を用いて登録者によりに入力される情報を受け付ける。第１分類項目の表示欄２１０Ｃには、例えば、入力設定テーブル１４３の第１分類項目に定義されている分類項目の一部または全部が表示されている。第１分類項目の割合の入力欄２１０Ｄに数値が入力された場合、対応する第１分類項目は、第１分類項目として取り扱われる。自動設定される分類項目の表示欄２１０Ｅには、入力設定テーブル１４３において第１分類項目と対応付けられている第２分類項目と第３分類項目とが表示される。自動設定される分類項目の割合の表示欄２１０Ｆには、分類項目の割合の入力欄２１０Ｄに入力された数値に基づいて、自動登録部１５２により導出された第２分類項目の割合や第３分類項目の割合が表示される。
【００４８】
図１０は、登録時の入力画面の他の一例を示す図である。図１０に示す通り、登録時の入力画面２２０は、商品ＩＤの入力欄２２０Ａと、キーワードの入力欄２２０Ｂと、第１分類項目の表示欄２２０Ｃと、自動設定される分類項目の表示欄２２０Ｅと、分類項目の割合の設定メーター２２０Ｇとを含む。分類項目の割合の設定メーター２２０Ｇには、メーター上を移動可能な調整つまみ２２０Ｈが設けられている。調整つまみ２２０Ｈを移動させることにより、第１分類項目の表示欄２２０Ｃに表示されている第１分類項目の割合２２０Ｄが設定されるとともに、自動設定される分類項目の表示欄２２０Ｅに表示されている分類項目の割合２２０Ｆが変化する。分類項目の割合の設定メーター２２０Ｇは、調整つまみ２２０Ｈがメーター上の真ん中に位置されている場合、第１分類項目の割合と自動設定される分類項目の割合とが共に５０％であることを示す。また、分類項目の割合の設定メーター２２０Ｇは、調整つまみ２２０Ｈが第１分類項目の表示欄２２０Ｃに最も近い場合、第１分類項目の割合が１００％であり、調整つまみ２２０Ｈが自動設定される分類項目の表示欄２２０Ｅに最も近い場合、自動設定される分類項目の割合が１００％であることを示す。
【００４９】
なお、図示を省略するが、登録時の入力画面２１０，２２０には、登録を指示する登録ボタン等が含まれる。登録ボタンがクリックされることにより、入力登録部１５１が、入力画面２１０，２２０を介して入力された第１分類項目とその割合を分類項目テーブル１４１に登録し、自動登録部１５２が、入力画面２１０，２２０を介して入力された情報に基づいて自動で設定された分類項目とその割合を分類項目テーブル１４１に登録する。
【００５０】
図１１は、検索時の入出力画面の一例を示す図である。図１１に示す通り、検索時の入出力画面２３０は、キーワードや商品属性の入力欄２３０Ｂと、第１分類項目の表示欄２３０Ｃと、自動設定される分類項目の表示欄２３０Ｅと、分類項目の割合の設定メーター２３０Ｇと、選択ボックス２３０Ｉと、検索結果２３０Ｊと、横断検索ボタン２３０Ｋとを含む。第１分類項目の表示欄２３０Ｃと自動設定される分類項目の表示欄２３０Ｅには、第１分類項目とそれに対応する分類項目に限られず、第９分類項目や第１０分類項目が表示されてもよい。分類項目の割合の設定メーター２３０Ｇは、上述の設定メーター２２０Ｇと同様の機能と構成を備え、メーター上には調整つまみ２３０Ｈが設けられ、メーターの近くには第１分類項目の割合２３０Ｄと、自動設定される分類項目の割合２３０Ｆとが表示されている。選択ボックス２３０Ｉは、対応する分類項目の割合を検索条件として設定するか否かを設定するボックスである。選択ボックス２３０Ｉがチェックされることにより、対応する分類項目等が、検索情報として指定されたことを意味する。
【００５１】
検索結果２３０Ｊは、対応する設定メーター２２０Ｇの割合に基づいて検索された検索結果が表示され、例えば、商品数が表示される。検索結果２３０Ｊがクリックされると、検索結果である商品を表示するページに遷移する。横断検索ボタン２３０Ｋは、設定されている少なくとも１つの分類項目の割合に基づく検索の開始を受け付ける。横断検索ボタン２３０Ｋがクリックされると、選択ボックス２３０Ｉにチェックが入っている全ての分類項目の割合と合致する商品が検索され、検索結果である商品数が表示されるとともに、商品数がクリックされると商品を表示するページに遷移してもよい。これに限られず、検索結果として、検索部１５４による検索結果が動的に表示されてもよい。例えば、調整つまみ２３０Ｈが操作され分類項目の割合が変更された場合、検索結果の表示欄に表示される商品数や商品の画像が動的に変化してもよい。また、検索結果として、商品数と商品の画像等が同時に表示されてもよい。
【００５２】
図１２は、検索時の入出力画面の他の例を示す図である。図１２に示す通り、検索時の入出力画面２４０は、キーワードや商品属性の入力欄２４０Ｂと、割合範囲の入力エリア２４０Ｌと、第１分類項目の表示欄２４０Ｃと、自動設定される分類項目の表示欄２４０Ｅと、分類項目の割合の設定メーター２４０Ｇと、選択ボックス２４０Ｉと、検索結果２４０Ｊと、横断検索ボタン２４０Ｋとを含む。分類項目の割合の設定メーター２４０Ｇは、上述の設定メーター２２０Ｇと同様の機能と構成を備え、メーター上には調整つまみ２４０Ｈが設けられ、メーターの近くには第１分類項目の割合２４０Ｄと、自動設定される分類項目の割合２４０Ｆとが表示されている。
【００５３】
割合範囲の入力エリア２４０Ｌは、分類項目の割合の範囲（以下、ターゲットと記す）の指定を受け付ける入力欄であって、図示の例では、４つの分類項目の割合について指定を受け付ける。割合範囲の入力エリア２４０Ｌにおける分類項目は、登録者により全て指定されてもよく、少なくとも１つが登録者により指定された第１分類項目であって他の分類項目は自動で設定される分類項目であってもよく、商品属性やキーワードに基づいて全て自動で設定される分類項目であってもよい。図示の例では、破線の円で示されるターゲット枠２４０Ｍの位置を動かしたり大きさを調整したりすることにより、ターゲットを指定することができる。検索部１５４は、ターゲット枠２４０Ｍで囲われた内側に該当する割合と合致する商品を検索し、検索結果が検索結果２４０Ｎに表示される。検索結果２４０Ｎには、例えば、検索結果である商品数が表示され、商品数がクリックされると商品を表示するページに遷移してもよい。これに限られず、検索結果として、検索部１５４による検索結果が動的に表示されてもよい。例えば、ターゲット枠２４０Ｍや調整つまみ２４０Ｈが操作され分類項目の割合が変更された場合、検索結果の表示欄に表示される商品数や商品の画像が動的に変化してもよい。また、検索結果として、商品数と商品の画像等が同時に表示されてもよい。なお、割合範囲の入力エリア２４０Ｌには、検索により得られた商品数がサーモグラフタイプで表示されてもよく、その後、商品の閲覧が指示された場合にターゲットに含まれる商品を表示するページに遷移してもよい。
【００５４】
次に、商品管理装置１００による商品登録時の処理の流れについて説明する。図１３は、商品管理装置１００による商品登録時の処理の流れの一例を示すフローチャートである。入力登録部１５１は、登録情報として、商品ＩＤが入力され、例えば分類項目Ｘ１が指定され、さらに、指定された分類項目Ｘ１の割合Ｙ１が入力されたか否かを判定する（Ｓ１０１）。例えば、入力部１２０が分類項目Ｘ１の割合Ｙ１の入力を受け付けた場合、入力登録部１５１は、入力された商品ＩＤに、分類項目Ｘ１とその割合Ｙ１とを対応付けて、記憶部１４０の分類項目テーブル１４１に登録する（Ｓ１０２）。
【００５５】
次いで、自動登録部１５２は、入力設定テーブル１４３において、登録情報として入力された分類項目Ｘ１と所定の関係を有する第２分類項目があるか否かを判定する（Ｓ１０３）。入力設定テーブル１４３において、分類項目Ｘ１に対応付けられた第２分類項目（以下、分類項目Ｘ２）がある場合、自動登録部１５２は、入力設定テーブル１４３から分類項目Ｘ２とその割合条件を読み出し、割合条件に従って分類項目Ｘ２の割合Ｙ２を導出する。自動登録部１５２は、商品ＩＤに、分類項目Ｘ２と、導出したその割合Ｙ２とを対応付けて、分類項目テーブル１４１に書き込む（Ｓ１０４）。
【００５６】
次いで、自動登録部１５２は、入力設定テーブル１４３において、登録情報として入力された分類項目Ｘ１と所定の関係を有する第３分類項目があるか否かを判定する（Ｓ１０５）。入力設定テーブル１４３において、分類項目Ｘ１に対応付けられた第３分類項目（以下、分類項目Ｘ３）がある場合、自動登録部１５２は、入力設定テーブル１４３から分類項目Ｘ３とその割合条件を読み出し、割合条件に従って分類項目Ｘ３の割合Ｙ３を導出する。自動登録部１５２は、商品ＩＤに、分類項目Ｘ３と、導出したその割合Ｙ３とを対応付けて、分類項目テーブル１４１に書き込む（Ｓ１０６）。
【００５７】
次いで、自動登録部１５２は、登録情報として入力された商品の属性を示す属性情報に基づいて、商品の属性に関連付けられた第４分類項目があるか否かを判定する（Ｓ１０７）。例えば、自動登録部１５２は、商品属性テーブル１４２から、登録情報として入力された商品ＩＤと対応付けられた属性情報を読み出し、属性設定テーブル１４４に定義されている属性設定条件の中から、商品の属性を含む属性設定条件を検索する。自動登録部１５２は、属性設定テーブル１４４から、商品の属性を含む属性設定条件を検索により得た場合、商品の属性に関連付けられた第４分類項目（以下、分類項目Ｘ４）があると判定する。分類項目Ｘ４があると判定した場合、自動登録部１５２は、属性設定テーブル１４４から分類項目Ｘ４とその割合Ｙ４を読み出し、商品ＩＤに、分類項目Ｘ４とその割合Ｙ４とを対応付けて、分類項目テーブル１４１に書き込む（Ｓ１０８）。
【００５８】
次いで、自動登録部１５２は、登録情報としてキーワードが入力されたか否かを判定する（Ｓ１０９）。登録情報としてキーワードＫ１が入力されたと判定された場合、自動登録部１５２は、キーワードＫ１に関連付けられた第５分類項目があるか否かを判定する（Ｓ１１０）。例えば、キーワード設定テーブル１４５のキーワードの欄にキーワードＫ１が登録されている場合、自動登録部１５２は、キーワードＫ１に関連付けられた第５分類項目（以下、分類項目Ｘ５）があると判定する。分類項目Ｘ５があると判定した場合、自動登録部１５２は、キーワード設定テーブル１４５から分類項目Ｘ５の名前とその割合Ｙ５を読み出し、商品ＩＤに、分類項目Ｘ５とその割合Ｙ５とを対応付けて、分類項目テーブル１４１に書き込む（Ｓ１１１）。
【００５９】
次に、商品管理装置１００による商品検索時の処理の流れについて説明する。図１４は、商品管理装置１００による商品検索時の処理の流れの一例を示すフローチャートである。検索条件自動設定部１５３は、検索情報として、例えば分類項目Ｘ６が指定され、指定された分類項目Ｘ６の割合Ｙ６が入力されたか否かを判定する（Ｓ２０１）。例えば、端末装置１０の入力部１２を介して入力され、通信部１１とネットワークＮＷを介して商品管理装置１００に送信された情報に基づいて、分類項目Ｘ６の割合Ｙ６の入力を受け付けた場合、検索条件自動設定部１５３は、分類項目Ｘ６とその割合Ｙ６とを、検索条件に設定する（Ｓ２０２）。
【００６０】
次いで、検索条件自動設定部１５３は、検索情報として入力された分類項目Ｘ６と所定の関係を有する第７分類項目があるか否かを判定する（Ｓ２０３）。入力設定テーブル１４３において、分類項目Ｘ６と対応付けられた第２分類項目（以下、分類項目Ｘ７）がある場合、検索条件自動設定部１５３は、入力設定テーブル１４３から分類項目Ｘ７とその割合条件を読み出し、割合条件に従って分類項目Ｘ７の割合Ｙ７を導出する。検索条件自動設定部１５３は、分類項目Ｘ７と、導出したその割合Ｙ７とを、検索条件に設定する（Ｓ２０４）。
【００６１】
次いで、検索条件自動設定部１５３は、検索情報として入力された分類項目Ｘ６と所定の関係を有する分類項目Ｘ８があるか否かを判定する（Ｓ２０５）。入力設定テーブル１４３において、分類項目Ｘ６に対応付けられた第３分類項目（以下、分類項目Ｘ８）がある場合、検索条件自動設定部１５３は、分類項目Ｘ８とその割合条件を読み出し、割合条件に従って分類項目Ｘ８の割合Ｙ８を導出する。検索条件自動設定部１５３は、分類項目Ｘ８と、導出したその割合Ｙ８とを、検索条件に設定する（Ｓ２０６）。
【００６２】
次いで、検索条件自動設定部１５３は、検索情報として入力された商品の属性を示す属性情報に基づいて、商品の属性に関連付けられた第９分類項目があるか否かを判定する（Ｓ２０７）。商品属性テーブル１４２において、検索情報として入力された商品の属性を含む属性設定条件と対応付けられた第４分類項目（以下、分類項目Ｘ９）がある場合、検索条件自動設定部１５３は、商品の属性に関連付けられた第９分類項目があると判定する。そして、検索条件自動設定部１５３は、分類項目Ｘ９とその割合Ｙ９を読み出し、検索条件に設定する（Ｓ２０８）。
【００６３】
次いで、検索条件自動設定部１５３は、検索情報としてキーワードが入力されたか否かを判定する（Ｓ２０９）。検索情報としてキーワードＫ２が入力されたと判定した場合、検索条件自動設定部１５３は、キーワードＫ２に関連付けられた第１０分類項目があるか否かを判定する（Ｓ２１０）。キーワード設定テーブル１４５において、検索情報として入力されたキーワードＫ２と対応付けられた第５分類項目（以下、分類項目Ｘ１０）がある場合、検索条件自動設定部１５３は、キーワードに関連付けられた第１０分類項目があると判定する。そして、検索条件自動設定部１５３は、分類項目Ｘ１０とその割合Ｙ１０を読み出し、検索条件に設定する（Ｓ２１１）。
【００６４】
そして、検索部１５４は、分類項目テーブル１４１を参照し、検索条件自動設定部１５３により設定された検索条件を満たす商品を検索する（Ｓ２１２）。ここで、検索部１５３は、設定された分類項目セットごとに検索を行ってもよく、複数の分類項目セットの全ての条件を満たす商品の検索を行ってもよく、両方を行ってもよい。
【００６５】
上述の商品管理装置１００によれば、商品登録時または商品検索時において、第１分類項目の割合を入力することにより、第１分類項目以外の分類項目の割合を自動で設定することができる。このため、一部の分類項目やその割合を入力する手間が省け、商品登録時または商品検索時のユーザの手間を簡便化することができる。
【００６６】
また、上述の商品管理装置１００によれば、第１分類項目と所定の関係にある第２分類項目や第３分類項目の割合を自動で設定することができる。これにより、「所定の関係」に応じて商品を分類することができ、商品登録時または商品検索時において、ユーザの意思を反映しやすい。
【００６７】
また、上述の商品管理装置１００によれば、商品の属性やキーワードを入力することにより、商品の属性またはキーワードに応じた分類項目が選択され、且つ、その割合が自動で設定される。これにより、分類項目の設定が不慣れなユーザであっても、簡単に商品を登録または検索することができる。
【００６８】
また、上述の商品管理装置１００によれば、割合範囲の入力エリア２４０Ｌを用いて、分類項目の割合の範囲の指定を受け付けることができる。この場合、検索部１５４は、指定された範囲の割合と合致する商品を検索することができる。
【００６９】
また、上述の商品管理装置１００によれば、選択ボックス２３０Ｉ，２４０Ｉを用いて、検索条件に設定するための第６分類項目を簡単に指定することができる。
【００７０】
なお、実施形態に係る商品管理システム１は、上述に限定されない。例えば、端末装置１０が、商品管理装置１００が実行する処理を実行するプログラムを搭載し、処理結果を示す画像を作成して、表示部１３に表示してもよい。このプログラムは、例えば、端末装置１０に、商品の識別情報と、予め決められた分類項目毎に各商品が分類項目に関連する割合を示す情報とを入力部１２を用いて受け付けさせ、商品の識別情報と分類項目に関連する割合を示す情報とが対応付けられた分類項目テーブルに、入力部１２を用いて受け付けらえた第１分類項目の割合を登録させ、入力部１２を用いて受け付けられた第１分類項目の割合に基づいて、第１分類項目と関係する第２分類項目の割合を導出させ、分類項目テーブルに登録させることができる。また、このプログラムは、例えば、端末装置１０に入力部１２を用いて、商品の性質を表す分類項目の指定を受け付けさせ、更に、入力部１２を用いて、受け付けた分類項目である第１分類項目と第１分類項目に相反する性質を有する第２分類項目との割合の指定を受け付けさせ、商品の識別情報に、商品が複数の分類項目のそれぞれに関連する割合を示す分類項目テーブル１４１を参照させ、入力部１２により受け付けられた第１分類項目、第２分類項目、および割合に合致する商品を検索させて、検索結果を表示させることができる。
【００７１】
なお、実施形態に係る商品管理システム１は、上述に限定されない。例えば、商品管理装置１００は、上述した構成のうち一部を備える装置であってもよい。例えば、商品管理装置１００は、登録時の処理を実行する構成（入力登録部１５１や自動登録部１５２等）を備える商品登録装置や、検索時の処理を実行する構成（検索条件自動設定部１５３や検索部１５４等）を備える商品検索装置であってもよい。
【符号の説明】
【００７２】
１…商品管理システム、１０…端末装置、１１…通信部、１２…入力部、１３…表示部、１４…記憶部、１５…制御部、１００…商品管理装置、１１０…通信部、１２０…入力部、１３０…表示部、１４０…記憶部、１４１…分類項目テーブル、１４２…商品属性テーブル、１４３…入力設定テーブル、１４４…属性設定テーブル、１４５…キーワード設定テーブル、１５０…制御部、１５１…入力登録部、１５２…自動登録部、１５３…検索条件自動設定部、１５４…検索部
【図１】
2018063673.tif 000003
【図２】
2018063673.tif 000004
【図３】
2018063673.tif 000005
【図４】
2018063673.tif 000006
【図５】
2018063673.tif 000007
【図６】
2018063673.tif 000008
【図７】
2018063673.tif 000009
【図８】
2018063673.tif 000010
【図９】
2018063673.tif 000011
【図１０】
2018063673.tif 000012
【図１１】
2018063673.tif 000013
【図１２】
2018063673.tif 000014
【図１３】
2018063673.tif 000015
【図１４】
2018063673.tif 000016
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
商品の検索に用いられる情報であって、商品の識別情報に、商品の性質を示す分類項目毎に各商品が分類項目に関連する割合を示す情報を対応付けた分類項目テーブルを記憶する記憶部と、
登録の対象である登録商品の登録情報として入力された第１分類項目の割合を、前記登録商品の識別情報に対応付けて前記分類項目テーブルに登録する入力登録部と、
前記登録情報として入力された第１分類項目の割合に基づいて、前記第１分類項目および第２分類項目と所定の関係を有する第３分類項目の割合を、前記第１分類項目および前記第２分類項目と前記第３分類項目との関係に応じて異なる割合条件に従って導出し、前記導出した第３分類項目の割合を、前記分類項目テーブルにおける前記登録商品の識別情報に対応するレコードに追加する自動登録部と、
を備える商品管理装置。
【請求項２】
前記自動登録部は、
商品の属性を示す属性情報に基づいて、前記商品の属性に予め関連付けられている第４分類項目とその割合を取得し、前記記憶部に登録する
請求項１に記載の商品管理装置。
【請求項３】
前記自動登録部は、
入力されたキーワードに基づいて、前記キーワードに予め関連付けられている第５分類項目とその割合を取得し、前記記憶部に登録する
請求項１または２に記載の商品管理装置。
【請求項４】
前記第１分類項目と前記第２分類項目とは、分類項目が示す意味が相反関係にある
請求項１から３のうちいずれか一項に記載の商品管理装置。
【請求項５】
前記分類項目テーブルは、相反する性質を有する前記第１分類項目と前記第２分類項目との割合が、合計で１００％となるように設定されている
請求項４に記載の商品管理装置。
【請求項６】
前記分類項目テーブルを参照して、検索情報として入力された少なくとも１つの分類項目の割合に合致する商品を検索する検索部をさらに備える、
請求項１から５のうちいずれか一項に記載の商品管理装置。
【請求項７】
検索情報として入力された第６分類項目の割合に基づいて、少なくとも前記第６分類項目と所定の関係を有する第７分類項目の割合を決定する検索条件決定部をさらに備え、
前記検索部は、
前記分類項目テーブルを参照して、少なくとも前記第６分類項目の割合および前記第７分類項目の割合に合致する商品を検索する、
請求項６に記載の商品管理装置。
【請求項８】
検索条件決定部は、
入力されたキーワードに基づいて、前記キーワードに予め関連付けられている少なくとも１つの第１０分類項目とその割合を取得し、
前記検索部は、
前記分類項目テーブルを参照して、少なくとも前記第１０分類項目の割合に合致する商品を検索する
請求項６または７に記載の商品管理装置。
【請求項９】
前記検索部は、
検索情報として、分類項目の割合の範囲の指定を受け付け、分類項目の割合の範囲に合致する商品を検索する
請求項６から８のうちいずれか一項に記載の商品管理装置。
【請求項１０】
前記検索部は、
検索情報として、複数の分類項目の割合の範囲の指定を受け付け、複数の分類項目の割合の範囲に合致する商品を検索する
請求項６から９のうちいずれか一項に記載の商品管理装置。
【請求項１１】
商品の性質を表す分類項目の指定を受け付け、更に、前記受け付けた分類項目である第１分類項目と前記第１分類項目に相反する性質を有する第２分類項目との割合の指定を受け付ける入力部と、
商品の識別情報に、前記商品が複数の分類項目のそれぞれに関連する割合を示す分類項目テーブルを参照し、前記入力部により受け付けられた前記第１分類項目、前記第２分類項目、および前記割合に合致する商品を検索するとともに、前記第１分類項目および前記第２分類項目と所定の関係を有する第３分類項目の割合であって、前記第１分類項目および前記第２分類項目と前記第３分類項目との関係に応じて異なる割合条件に従って導出された前記第３分類項目の割合に合致する商品を検索する検索部と、
を備える商品検索装置。
【請求項１２】
商品管理装置に、
商品の検索に用いられる情報であって、商品の識別情報に、商品の性質を示す分類項目毎に各商品が分類項目に関連する割合を示す情報を対応付けた分類項目テーブルを記憶する記憶部に、登録の対象である登録商品の登録情報として入力された第１分類項目の割合を、前記登録商品の識別情報に対応付けて前記分類項目テーブルに登録させ、
前記登録情報として入力された第１分類項目の割合に基づいて、前記第１分類項目と関係する第２分類項目の割合を導出し、前記導出した第２分類項目の割合を、前記分類項目テーブルにおける前記登録商品の識別情報に対応するレコードに追加させ、
前記登録情報として入力された第１分類項目の割合に基づいて、前記第１分類項目および第２分類項目と所定の関係を有する第３分類項目の割合を、前記第１分類項目および前記第２分類項目と前記第３分類項目との関係に応じて異なる割合条件に従って導出し、前記導出した第３分類項目の割合を、前記分類項目テーブルにおける前記登録商品の識別情報に対応するレコードに追加させる、
プログラム。
【請求項１３】
入力部を備える端末装置に、
前記入力部を用いて、商品の性質を表す分類項目の指定を受け付けさせ、
更に、前記入力部を用いて、前記受け付けた分類項目である第１分類項目と前記第１分類項目に相反する性質を有する第２分類項目との割合の指定を受け付けさせ、
商品の識別情報に、前記商品が複数の分類項目のそれぞれに関連する割合を示す分類項目テーブルを参照させ、前記入力部により受け付けられた前記第１分類項目、前記第２分類項目、および前記割合に合致する商品を検索させるとともに、
前記分類項目テーブルを参照させ、前記第１分類項目および前記第２分類項目と所定の関係を有する第３分類項目の割合であって、前記第１分類項目および前記第２分類項目と前記第３分類項目との関係に応じて異なる割合条件に従って導出された前記第３分類項目の割合に合致する商品を検索させ、
検索結果を表示させる、
プログラム。